(57)【特許請求の範囲】
【請求項１】
遊技場における遊技関連情報を配信する遊技場システムであって、
通信端末と、
前記遊技関連情報を保有し、前記通信端末と通信可能に接続されるサーバと、を備え、
前記通信端末は、
当該通信端末に対応する固有の端末識別情報を、前記サーバに送信する端末識別情報送信手段と、
前記サーバから受信した遊技関連情報を表示する表示手段と、を備え、
前記サーバは、
前記端末識別情報送信手段から受信した前記端末識別情報を一定の有効期間と関連付けて登録する登録手段と、
前記端末識別情報送信手段から前記端末識別情報を受信しない期間に応じて前記有効期間を減算する有効期間演算手段と、
前記通信端末から受信した端末識別情報に関連付けてある前記有効期間に応じて、前記通信端末に前記遊技関連情報の配信を行う情報配信制御手段と、
を備え、
前記情報配信制御手段は、
前記端末識別情報に関連付けてある前記有効期間が、第１期間残っている場合には、前記遊技関連情報として、第１遊技関連情報の配信を行うことが可能であり、
前記端末識別情報に関連付けてある前記有効期間が、前記第１期間よりも長い期間である第２期間残っている場合には、前記遊技関連情報として、前記第１遊技関連情報とは異なる第２遊技関連情報の配信を行うことが可能である
ことを特徴とする遊技場システム。
【請求項２】
前記情報配信制御手段は、前記端末識別情報に関連付けてある前記有効期間が残っていない場合には、前記遊技関連情報として、前記第１遊技関連情報の配信を行うことが可能である
ことを特徴とする請求項１記載の遊技場システム。
【請求項３】
前記端末識別情報送信手段は、遊技場内の無線通信回線、又は、所定の公衆回線を介して前記端末識別情報を前記サーバに送信することが可能であり、
前記サーバは、
前記無線通信回線を介して前記端末識別情報を受信した場合、当該端末識別情報に関連付けられた前記有効期間を増加させることが可能であり、
前記所定の公衆回線を介して前記端末識別情報を受信した場合、当該端末識別情報に関連付けられた前記有効期間を維持することが可能である
ことを特徴とする請求項１又は２記載の遊技場システム。
【請求項４】
通信端末の表示手段が遊技関連情報を表示するための、遊技関連情報を送信する送信手段と、
通信端末に対応する固有の端末識別情報を受信する受信手段と、
前記受信手段が受信した前記端末識別情報を一定の有効期間と関連付けて登録する登録手段と、
前記受信手段が前記端末識別情報を受信しない期間に応じて前記有効期間を減算する有効期間演算手段と、
前記受信手段が受信した端末識別情報に関連付けてある前記有効期間に応じて、前記通信端末に前記遊技関連情報の配信を行う情報配信制御手段と、
を備え、
前記情報配信制御手段は、
前記端末識別情報に関連付けてある前記有効期間が、第１期間残っている場合には、前記遊技関連情報として、第１遊技関連情報の配信を行うことが可能であり、
前記端末識別情報に関連付けてある前記有効期間が、前記第１期間よりも長い期間である第２期間残っている場合には、前記遊技関連情報として、前記第１遊技関連情報とは異なる第２遊技関連情報の配信を行うことが可能である
ことを特徴とするサーバ。
【請求項５】
通信端末と、遊技場における遊技関連情報を保有し、前記通信端末と通信可能に接続されるサーバとを備え、前記遊技関連情報を配信する遊技場システムで実行可能なプログラムであって、
前記通信端末を構成するコンピュータを、
当該通信端末に対応する固有の端末識別情報を、前記サーバに送信する端末識別情報送信手段、
前記サーバから受信した遊技関連情報を表示する表示手段、として機能させ、
前記サーバを構成するコンピュータを、
前記端末識別情報送信手段から受信した前記端末識別情報を一定の有効期間と関連付けて登録する登録手段、
前記端末識別情報送信手段から前記端末識別情報を受信しない期間に応じて前記有効期間を減算する有効期間演算手段、
前記通信端末から受信した端末識別情報に関連付けてある前記有効期間に応じて、前記通信端末に前記遊技関連情報の配信を行う情報配信制御手段、
として機能させ、
前記情報配信制御手段に、
前記端末識別情報に関連付けてある前記有効期間が、第１期間残っている場合には、前記遊技関連情報として、第１遊技関連情報の配信を行わせることを可能とし、
前記端末識別情報に関連付けてある前記有効期間が、前記第１期間よりも長い期間である第２期間残っている場合には、前記遊技関連情報として、前記第１遊技関連情報とは異なる第２遊技関連情報の配信を行わせることを可能とする
ことを特徴とするプログラム。
【発明の詳細な説明】
【技術分野】
【０００１】
本発明は、遊技場システム、サーバ、プログラムに関する。
【背景技術】
【０００２】
一般に、パチンコ機やスロットマシン等の遊技機が設置された遊技場においては、各遊技機から出力される遊技信号（スタート信号、大当り信号、アウト信号、セーフ信号等）や遊技場に設置された各種装置からの信号を収集・集計することで、遊技者に対して、遊技機ごとの遊技情報（スタート回数、大当り回数、アウト玉数、セーフ玉数、スランプグラフ等）や機種情報（遊技方法、大当り図柄、リーチ演出、予告演出等）や遊技場におけるイベント等の遊技関連情報を提供するサービスが行われている。
【０００３】
また、携帯電話機などの通信端末の技術発展により、遊技場では通信端末を所持している遊技者に対し、通信端末の通信機能を利用して遊技関連情報を提供するサービスが行われている。これにより、遊技場側は、インターネットを介して様々な種類のデータを遊技者に提供することができ、一方、遊技者側は、遊技場の固定箇所（例えば、景品交換カウンター付近など）に設けられた表示装置まで出向くことなく、遊技機の前に着座したまま遊技関連情報を得ることができる。
【０００４】
このような、通信端末を利用して遊技情報等を提供する技術として、例えば、特許文献１に開示されているような遊技情報供給装置や、特許文献２に開示されているような会員サービス提供装置が提案されている。
特許文献１の遊技情報提供装置は、ユーザ端末からの閲覧要求を、インターネットを介してサーバに送り、閲覧要求を受けたサーバは、要求に応じた遊技情報を、インターネットを介してユーザ端末に配信するようにしている。
また、特許文献２の会員サービス提供装置は、会員ＩＤ等の会員識別情報にもとづいて会員登録した全ての遊技場を対象に、各遊技場の遊技機ごとの遊技情報を配信するようにしている。
【先行技術文献】
【特許文献】
【０００５】
【特許文献１】特開２００６−３３４０３２号公報
【特許文献２】特開２００７−２６７９５９号公報
【発明の概要】
【発明が解決しようとする課題】
【０００８】
本発明は、このような問題を解決するためになされたものであり、遊技関連情報を閲覧することができる遊技場システム、サーバ、プログラムの提供を目的とする。
【課題を解決するための手段】
【０００９】
上記目的を達成するため、本発明の遊技場システムは、遊技場における遊技関連情報を配信する遊技場システムであって、通信端末と、遊技関連情報を保有し、通信端末と通信可能に接続されるサーバと、を備え、通信端末は、当該通信端末に対応する固有の端末識別情報を、サーバに送信する端末識別情報送信手段と、サーバから受信した遊技関連情報を表示する表示手段と、を備え、サーバは、端末識別情報送信手段から受信した端末識別情報を一定の有効期間と関連付けて登録する登録手段と、端末識別情報送信手段から前記端末識別情報を受信しない期間に応じて有効期間を減算する有効期間演算手段と、通信端末から受信した端末識別情報に関連付けてある有効期間に応じて、通信端末に遊技関連情報の配信を行う情報配信制御手段と、を備え、情報配信制御手段は、端末識別情報に関連付けてある有効期間が、第１期間残っている場合には、遊技関連情報として、第１遊技関連情報の配信を行うことが可能であり、端末識別情報に関連付けてある有効期間が、第１期間よりも長い期間である第２期間残っている場合には、遊技関連情報として、第１遊技関連情報とは異なる第２遊技関連情報の配信を行うことが可能である構成としてある。
【図面の簡単な説明】
【００１１】
【図１】本発明の一実施形態に係る遊技場システムの構成を示す概略図である。
【図２】本発明の一実施形態に係る遊技場システムの各装置間の信号の流れを示すブロック図である。
【図３】アクセスポイントの構成を示すブロック図である。
【図４】携帯端末の構成を示すブロック図である。
【図５】ローカルサーバの構成を示すブロック図である。
【図６】機体ＩＤと有効期間とを関連付けた登録テーブルの一例を示す図である。
【図７】機体ＩＤの構成例を示す図である。
【図８】機体ＩＤの登録方法及び有効期間の更新方法を示すフローチャートである
【図９】携帯端末に表示されるメニュー画面及び遊技関連情報の一例を示す図である。
【図１０】ローカルサーバと携帯端末との接続態様を示す図である。
【図１１】遊技関連情報の配信方法を示すフローチャートである。
【図１２】遊技場の選択画面の一例を示す図である。
【発明を実施するための形態】
【００１２】
以下、本発明の遊技場システムの好ましい実施形態について図面を参照して説明する。
（遊技場システム）
本発明の一実施形態に係る遊技場システムの構成について、図１〜図７を参照して説明する。
図１に示すように、本実施形態の遊技場システムは、複数の遊技機１０が設置される遊技場（ホール）に備えられる、台間機２０、呼出ランプ３０、台コンピュータ４０、島コンピュータ５０、ホールコンピュータ６０、ローカルサーバ９０、及び、アクセスポイント７０、並びに、携帯端末８０によって構成されている。
遊技機１０と、台間機２０と、呼出ランプ３０と、台コンピュータ４０と、島コンピュータ５０と、ホールコンピュータ６０と、アクセスポイント７０と、ローカルサーバ９０とは、ローカル・エリア・ネットワーク（以下、ＬＡＮ１４０という）を介して通信可能に接続される。
携帯端末８０は、遊技場内にある場合には、アクセスポイント７０により提供される無線ＬＡＮ回線１１０を介してＬＡＮ１４０上のローカルサーバ９０と通信可能に接続され、遊技場外にある場合には、３Ｇ回線１２０及びインターネット１３０を介してローカルサーバ９０と通信可能に接続される。
【００１３】
このような本実施形態の遊技場システムにより、遊技者が遊技場に来店したときに、遊技者が所持する携帯端末８０の端末識別情報がローカルサーバ９０に送信されるとともに、有効期間が紐付けられて登録され、登録が完了した携帯端末８０に対しては、来店しない期間に応じて有効期間を減じながら、遊技場における遊技関連情報の配信を有効期間内に限り受けることができるサービスを、遊技場の内外から受けることができるようになっている。
以下、遊技場システムの各装置の構成について詳細に説明する。
【００１４】
遊技機１０は、パチンコ機，スロットマシン，アレンジボール機，雀球機等、遊技球やメダル等の遊技媒体を使用して遊技を行う各種の遊技機である。
また、各遊技機１０からは、遊技状態を示す遊技信号として、大当り状態を示す大当り信号、大当りの抽選確率が通常遊技状態よりアップする確率変動遊技状態、及び／又は、図柄の変動時間が通常遊技状態より短縮する時間短縮遊技状態を示す確変・時短信号等が出力され、遊技媒体の出入数を示す遊技信号として、遊技機１０への遊技媒体の投入数を示すアウト信号、遊技機１０から遊技媒体の払出数を示すセーフ信号、一ゲームごとに出力されるスタート信号、所定の入賞口に遊技媒体が入賞したことを示す入賞信号等が出力され、これらの遊技信号は呼出ランプ３０及び台コンピュータ４０に入力される（図２参照）。
【００１５】
台間機２０は、遊技機１０に一対一に対応して設けられた遊技媒体を貸し出す装置であって、現金、貯玉会員カード、ＩＣコインなどが投入されることによって、投入金額に応じた遊技媒体の貸出しを行うとともに、遊技媒体の貸出数又は貸出金額を示す売上信号を台コンピュータ４０へ出力する。
【００１６】
呼出ランプ３０は、遊技機１０の上方に設置されており、電球やＬＥＤなどのランプを点灯又は点滅させることで、大当りの発生、確変中、店員呼出中等を遊技者に告知する。また、遊技機１０から出力される各種遊技信号を受信する。
【００１７】
台コンピュータ４０は、遊技機１０、台間機２０、呼出ランプ３０、島コンピュータ５０と通信可能に接続されており、これらの各装置間で所定の信号を送受信する情報処理装置である。台コンピュータ４０は、遊技機１０から出力される各種遊技信号と台間機２０から出力される売上信号を受信し、適宜蓄積して島コンピュータ５０へ送信するようになっている。なお、遊技機１０から出力された遊技信号を、呼出ランプ３０を介して受信することもできる。
【００１８】
島コンピュータ５０は、台コンピュータ４０とホールコンピュータ６０のそれぞれと通信可能に接続され、これらの各装置間で遊技信号を送受信する情報処理装置として動作することにより、台コンピュータ４０から送信されてきた各種信号を受信し、ホールコンピュータ６０へ送信する。
【００１９】
ホールコンピュータ６０は、プログラム制御により動作する情報処理装置であって、遊技場に備えられる全遊技機１０に関する遊技情報や機種情報等が記憶・管理・分析されるようになっており、この他にも、遊技場において必要な営業管理情報なども管理する。
ホールコンピュータ６０は、各島コンピュータ５０からＬＡＮ１４０を介して送信される各種遊技信号にもとづいて、遊技機１０ごとに遊技情報を算出するとともに、算出した遊技情報や機種情報を、ＬＡＮ１４０を介してローカルサーバ９０に定期的に送信する。
【００２０】
（アクセスポイント）
アクセスポイント７０は、遊技場内に一又は複数設置され、自ら発する電波が一定強度を満たす領域内にある携帯端末８０との接続を行う。これにより、遊技者が所持する携帯端末８０とローカルサーバ９０とを、遊技場内における無線ＬＡＮ回線１１０及びＬＡＮ１４０を介して通信可能に接続する。
具体的には、アクセスポイント７０は、図３に示すように、携帯端末８０との無線接続を行う無線通信部７１と、携帯端末８０に割り当てたＩＰアドレス等を記憶する記憶部７２と、ＣＰＵ，ＲＯＭ，ＲＡＭ等を備えコンピュータとして動作する制御部７５とを備え、制御部７５が、各部を制御することにより、以下に示す動作を行う。
【００２１】
制御部７５は、無線通信部７１にブリッジ接続手段として動作させることで、無線ＬＡＮ回線１１０とＬＡＮ１４０との接続を行う。携帯端末８０と無線接続を自動的に行うことにより、携帯端末８０とＬＡＮ１４０上の他の遊技場装置とを通信可能に接続するものである。
そのため、アクセスポイント７０では、無線ＬＡＮの論理的なグループを識別する識別情報として、任意の文字列からなるＳＳＩＤ（Service  Set  Identifier）が予め登録される。
アクセスポイント７０は、不図示のアンテナから特定周波数の電波を常に発信しており、制御部７５は、この電波を検知した携帯端末８０からＳＳＩＤとともに接続要求を受けると、そのＳＳＩＤの照合を行い、照合が一致すれば携帯端末８０との接続を自動的に行う。
例えば、ＳＳＩＤ「abc_connect」をアクセスポイント７０に登録しておくと、ＳＳＩＤ「abc_connect」にもとづいて接続を求める携帯端末８０に対してのみ接続を許可することができる。
なお、携帯端末８０との自動接続に係る手順については、後記「機体ＩＤの登録方法」にて説明する。
【００２２】
また、制御部７５は、ネットワークに関する機能として、携帯端末８０等にその遊技場内のネットワーク上で一意のＩＰアドレス（プライベートＩＰアドレス）を動的に割り当てる動作、携帯端末８０等に割り当てたＩＰアドレスとＭＡＣアドレスとの対応付けにもとづいてＬＡＮ１４０上の機器を特定する動作等を行う。
【００２３】
制御部７５は、記憶部７２を記憶手段として動作させることで、登録するＳＳＩＤの他、携帯端末８０に割り当てたＩＰアドレスとＭＡＣアドレスとを関連付けたテーブルデータ等を記憶する。
【００２４】
（携帯端末）
携帯端末８０は、本実施形態に係るスマートフォンの他、携帯電話、ＰＤＡ（Ｐｅｒｓｏｎａｌ  Ｄｉｇｉｔａｌ  Ａｓｓｉｓｔａｎｔ）等の通信端末が該当する。
携帯端末８０は、一般的な通信制御動作を行う他、遊技場のローカルサーバ９０に遊技場内外からアクセスする動作や、アクセスしたローカルサーバ９０から配信される遊技関連情報を表示する動作等を行う。
具体的には、携帯端末８０は、図４に示すように、アクセスポイント７０との接続を介してローカルサーバ９０との通信処理を行う無線ＬＡＮ通信部８１と、３Ｇ回線１２０等との接続を介してローカルサーバ９０との通信処理を行う３Ｇ通信部８２と、自己に付された固有の端末識別情報等を記憶する記憶部８３と、操作画面やローカルサーバ９０から配信された遊技関連情報等を表示する表示部８４と、ＣＰＵ，ＲＯＭ，ＲＡＭ等を備えコンピュータとして動作する制御部８５とを備え、制御部８５が、これら各部を制御することにより、以下のような特徴的な動作を行う。
【００２５】
無線ＬＡＮ通信部８１は、ＷｉＦｉ（ＷｉＦｉ  ＡＬＬＩＡＮＣＥによって無線ＬＡＮ機器間の相互接続性を認証された規格）に対応したモジュールであって、図示しないアンテナ、ＣＰＵ、メモリを有する。
制御部８５は、無線ＬＡＮ通信部８１を、通信手段として動作させることで、アクセスポイント７０を介してローカルサーバ９０（通信部９１）との間で通信を行わせる。
３Ｇ通信部８２は、ＩＭＴ−２０００規格に準拠したデジタル携帯電話の通信方式に対応したモジュールであって、図示しないアンテナ、ＣＰＵ、メモリを有する。
制御部８５は、３Ｇ通信部８２を、通信手段として動作させることで、３Ｇ回線１２０と接続を行い、インターネット１３０を介してローカルサーバ９０（通信部９１）との間で通信を行わせる。
制御部８５は、無線ＬＡＮ通信部８１及び３Ｇ通信部８２を、端末識別情報送信手段として動作させることで、ローカルサーバ９０に対して携帯端末８０に固有の端末識別情報（機体ＩＤ）を送信させ、また、通信手段として動作させることで、ローカルサーバ９０から遊技関連情報を受信させる。
【００２６】
制御部８５は、記憶部８３を記憶手段として動作させることで、携帯端末８０が備える各種機能を実行するためのプログラムやデータを記憶する。
予め携帯端末８０に記憶されるデータとしては、携帯端末８０を一意に特定可能な端末識別情報がある。
端末識別情報は、例えば、機種番号やシリアル番号等を組み合わせた１５桁のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）の他、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）、ＭＡＣアドレス、電話番号、ＵＤＩＤ（Ｕｎｉｑｕｅ  Ｄｅｖｉｃｅ  Ｉｄｅｎｔｉｆｉｅｒ）等がある。
本実施形態の機体ＩＤは、このような種々の端末識別情報のうちの一又は複数の端末識別情報の組み合わせにより構成され、係る機体ＩＤのローカルサーバ９０への登録をもって遊技者の登録とするようにしている。
【００２７】
携帯端末８０に記憶される他のデータとしては、登録が行われた遊技場のローカルサーバ９０のＩＰアドレス（グローバルＩＰアドレス）や店舗名等の遊技場情報がある。
すなわち、制御部８５は、記憶部８３をアドレス記憶手段として動作させることで、機体ＩＤが登録される際にローカルサーバ９０から受け取るＩＰアドレスを記憶する。
このため、遊技者は、登録後は、どこにいても、携帯端末８０からインターネット１３０等を介して登録した遊技場のローカルサーバ９０にアクセスすることができる（端末識別情報送信手段）。
【００２８】
携帯端末８０に記憶されているプログラムとしては、携帯端末８０上で実行可能な機能に対応したアプリケーションプログラム（以下、アプリという）がある。このアプリは、予め記憶され、又は、ウェブサイトからダウンロード等によって取得された、メール用アプリ，音楽再生アプリ，ゲーム用アプリ等である。
このようなアプリの一つとして、携帯端末８０とローカルサーバ９０との間で双方向通信を行うことで、機体ＩＤ及び遊技関連情報を送受信し、遊技関連情報を表示する機能を備える自動通信アプリが記憶されている。
【００２９】
表示部８４は、タッチ操作可能なタッチパネルで構成され、制御部８５は、表示部８４に、動画、画像、テキスト、テンキー等を表示させる他、指やタッチペンで画面上の表示に触れることにより入力（例えば、通信操作、文字入力操作、選択操作等）を受け付ける入力手段として動作させる。
例えば、制御部８５は、表示部８４を表示手段として動作させることで、ローカルサーバ９０から配信された遊技関連情報を閲覧可能に表示させる。
スマートフォンの場合、表示画面が比較的大きく、また、タップ（指で画面を叩く動作）、フリック（指で画面を弾く操作）、ピンチ（二本の指で画面を摘む／開く操作）等の操作が可能であるため、遊技関連情報を種々のバリエーションをもって見易く表示させることができる。
【００３０】
制御部８５は、自動通信アプリをバックグラウンドで動作させておくことによって、アクセスポイント７０を自動的に検知し、自動通信アプリを起動させる。
これにより、携帯端末８０は、ローカルサーバ９０と通信可能に接続することができる。
具体的には、制御部８５は、アクセスポイント７０を検知するとアクセスポイント７０との自動接続を実施し、かかる接続を経てローカルサーバ９０と通信可能に接続することで、通信回線接続手段として動作する。
また、制御部８５は、記憶部８３に記憶された遊技場情報（ＩＰアドレス）にもとづき、３Ｇ回線１２０及びインターネット１３０（公衆回線）を介してローカルサーバ９０と通信可能に接続することで、通信回線接続手段として動作する。
【００３１】
（ローカルサーバ）
ローカルサーバ９０は、本実施形態に係るサーバの一例であり、プログラム制御により動作する情報処理装置であり、携帯端末８０に配信する遊技関連情報の記憶・管理等を行う。
ローカルサーバ９０は、遊技者が所持する携帯端末８０の端末識別情報（機体ＩＤ）を登録する動作や、登録時に設定される有効期間に限り遊技関連情報の配信を行う動作や、登録後に遊技者が再度来店すると有効期間を増加する動作等を行う。
具体的には、ローカルサーバ９０は、図５に示すように、携帯端末８０や他の遊技場装置との通信処理を行う通信部９１と、携帯端末８０の登録を行う機体ＩＤ登録部９２と、登録された機体ＩＤや携帯端末８０に配信する遊技関連情報等を記憶する記憶部９３と、ＣＰＵ，ＲＯＭ，ＲＡＭ等を備えコンピュータとして動作する制御部９５とを備え、制御部９５が、これら各部を制御することにより、以下のような特徴的な動作を行う。
【００３２】
制御部９５は、通信部９１を受信手段として動作させることで、ＬＡＮ１４０を介してホールコンピュータ６０と接続し、ホールコンピュータ６０から遊技情報や機種情報等の遊技関連情報を定期的に受信する。
また、制御部９５は、通信部９１を受信手段として動作させることで、無線ＬＡＮ回線１１０、又は、３Ｇ回線１２０及びインターネット１３０を介して携帯端末８０から送信される機体ＩＤを、ＬＡＮ１４０を介して受信する。
さらに、制御部９５は、通信部９１を配信手段として動作させることで、無線ＬＡＮ回線１１０を介し、又は、インターネット１３０及び３Ｇ回線１２０を介し、携帯端末８０に遊技関連情報を配信する。具体的には、後述する情報配信制御手段の制御にもとづいて遊技関連情報の配信を行う。
なお、ローカルサーバ９０は、いわゆるＰＰＰｏＥによりインターネット１３０との接続を行う。この際、プロバイダ側からは、常に固定のグローバルＩＰアドレスがローカルサーバ９０に対して割り当てられる。これにより、インターネット１３０等を介した前記受信手段及び配信手段の動作を可能としている。
【００３３】
また、制御部９５は、通信部９１をアドレス送信手段として動作させることで、機体ＩＤが登録されたときに、ローカルサーバ９０と接続されている携帯端末８０にローカルサーバ９０のＩＰアドレス（グローバルＩＰアドレス）を送信する。このとき、登録した店舗名等を併せて送信させることもできる。
また、制御部９５は、通信部９１を通知手段として動作させることで、有効期間の更新通知の他、有効期間が残っていない旨、有効期間の残期間が少ない旨、配信（閲覧）ができない旨、配信（閲覧）が可能である旨等の通知を、所定のタイミングで行うことができる。
【００３４】
制御部９５は、機体ＩＤ登録部９２を登録手段として動作させることで、遊技場に来店した遊技者が所持する携帯端末８０の機体ＩＤ（端末識別情報）に有効期間を関連付けて登録する。
遊技関連情報の配信を受けることができる遊技者を特定するために、携帯端末８０に固有の機体ＩＤを登録するものである。
具体的には、制御部９５は、携帯端末８０から受信した機体ＩＤが未登録であって、かつ、無線ＬＡＮ回線１１０を介して受信した機体ＩＤである場合に、その機体ＩＤを登録する。
受信した機体ＩＤが、未登録であるか否かは、記憶部９３を検索して同一の機体ＩＤが登録されてあるかどうかによって判断することができ、また、受信した機体ＩＤが、無線ＬＡＮ回線１１０を介して受信したものか否かは、機体ＩＤの受信フレームに付された送信元のＩＰアドレスが、遊技場内に設置されたアクセスポイント７０によって割り当て得るＩＰアドレスの範囲に含まれるか否か等によって判断することができる。
【００３５】
機体ＩＤに関連付けられて登録される有効期間は、その機体ＩＤを有する携帯端末８０に対して設定される遊技関連情報の配信可能期間を示す。
具体的には、遊技者がその遊技場に初めて来店したとき（即ち、機体ＩＤの登録時）に、一定の有効期間（例えば３１日）が登録される（図６の機体ＩＤ「xxxx」参照）。
制御部９５は、自らが有効期間演算手段として動作することで、登録された有効期間を時間の経過とともに減算する。
例えば、登録時３１日あった有効期間は、１６日を経過することで残期間は１５日になる（図６の機体ＩＤ「yyyy」参照）。
【００３６】
ただし、登録した遊技者が再度その遊技場に来店した場合には有効期間が更新されて残期間が増加するようにしている。
具体的には、制御部９５は、機体ＩＤ登録部９２を登録手段として動作させることで、登録された機体ＩＤを有する携帯端末８０から遊技場内の無線ＬＡＮ回線１１０を介して再度アクセスが有った場合には、新たな有効期間に更新させる。
すなわち、登録された機体ＩＤを受信しない期間に応じて有効期間が減算された後であっても、無線ＬＡＮ回線１１０を介してその機体ＩＤを受信した場合には、有効期間の残期間を増加するようにしている。
例えば、図６において、機体ＩＤ「yyyy」又は「zzzz」の携帯端末８０を所持する遊技者が再度来店した場合には、その有効期間が登録時に設定された有効期間（３１日）になるように更新することができる。
【００３７】
また、制御部９５は、記憶部９３を記憶手段として動作させることで、ローカルサーバ９０が備える各種機能を実行するためのプログラムやデータを記憶する。ローカルサーバ９０に記憶させるデータには、前述した機体ＩＤや有効期間の他、遊技関連情報が含まれる。
遊技関連情報は、携帯端末８０に配信される情報であって、主にその遊技場に設置された遊技機１０ごとの遊技に関する情報である。例えば、遊技機１０を一意に特定可能な遊技台番号に、大当り回数，スタート回数，アウト玉数，セーフ玉数と、機種情報である機種名，機種タイプ，遊技方法等が関連付けされた情報が相当する。遊技場のイベント情報も遊技関連情報に含まれる。
【００３８】
なお、遊技関連情報は、携帯端末８０にて表示可能となるようにローカルサーバ９０（制御部９５）で加工されたデータであり、具体的には、ホールコンピュータ６０から定期的に受信する遊技関連情報を遊技機その他のカテゴリごとに集計し、携帯端末８０で表示可能なデータ形式に加工したものである。
【００３９】
制御部９５は、自らが情報配信制御手段として動作することで、携帯端末８０から受信した機体ＩＤに関連付けて記憶されている有効期間を参照し、残期間の有無又は残期間の多少に応じた遊技関連情報の配信制御を行う。
例えば、有効期間が残っている場合は、制限なく遊技関連情報を配信することを基本動作としつつ、有効期間が残っていないときは、遊技関連情報の配信を行わない、又は、配信する遊技関連情報の内容を制限する（例えば、一般情報のみ配信する）等の制御を行う。
また、有効期間が残っていても、その残期間が一定値以下（例えば、５日以下）の場合に、配信する遊技関連情報の内容を制限する（例えば、一般情報のみを配信する）ことも可能である。
【００４０】
（機体ＩＤのコード化）
ところで、本発明の機体ＩＤは、個人情報ともなり得る重要な情報であるため、コード化して利用することが安全上望ましい。
本実施形態の場合、携帯端末８０においては、一又は複数の端末識別情報からなる機体ＩＤをハッシュ値にコード化してローカルサーバ９０に送信する（端末識別情報送信手段）。
機体ＩＤのハッシュ値（コード情報）は、携帯端末８０の制御部８５が、自らコード情報生成手段として動作することで生成される。
ハッシュ値とは、あるデータ（ビット列）を、所定のハッシュ関数（ＳＨＡ−２２４等）で演算した結果、得られるコード情報である。ハッシュ値は、基のデータのデータ長に関わらず固定長となり、ハッシュ値とハッシュ関数がわかっていても基のデータを算出できない特徴を有する。
例えば、図７に示すように、プライマリ識別値（例えば、ＵＤＩＤ）と、セカンダリ識別値（例えば、ＭＡＣアドレス）とを組合せ、この組合せデータに対しハッシュ関数により演算を行うことでこのような特徴を有する一意のハッシュ値（コード情報）が生成される。ローカルサーバ９０では、このようなハッシュ値からなる機体ＩＤ（ハッシュ値）を登録し、照合に用いる。
【００４１】
このようにすると、仮に、機体ＩＤの送受信の過程等においてその機体ＩＤが外部に漏れたとしても、ハッシュ値からは元の機体ＩＤを再現することはできないため安全である。
また、携帯端末８０ごとに機体ＩＤのデータ長が異なる場合であっても常に固定長のハッシュ値を得ることができるため、照合処理を円滑に行うことができる。
【００４２】
さらに、機体ＩＤを暗号化（復号化）することもできる。
例えば、携帯端末８０側では、コード化した機体ＩＤにさらに所定の秘密鍵（暗号キー）を用いて暗号化したデータをローカルサーバ９０に送信し、ローカルサーバ９０側では、受信したデータを秘密鍵と同一の復号化キーを用いて復号化したうえで、有効期間と関連付けて登録する。
このようにすると、機体ＩＤの送受信の過程等において、その機体ＩＤが外部に漏れたとしても、コード化された機体ＩＤ（ハッシュ値）を復元できず、仮に、コード化された機体ＩＤを復元できたとしても、ハッシュ値からは元の機体ＩＤを再現することはできないため、より安全である。
【００４３】
以上のように、本実施形態の遊技場システムの特徴的な構成によれば、遊技者が来店するだけで、会員／非会員の区別なく、煩わしい手間もなく、情報配信のサービスを受けることができる。
また、有効期間は、携帯端末８０を携行した遊技者がその遊技場に行くことによって更新されるため、遊技者が有効期間内において遊技場に足を運び続ける限りにおいて、遊技者がどこにいても継続して遊技関連情報を閲覧することができる。
このため、遊技者に対し来店を促し遊技に対する動機づけを与える一方、遊技者は、遊技場に行くだけで遊技関連情報を継続的に閲覧できることが可能となる。
さらに、機体ＩＤとして、元のデータを復元することができないユニークな固定長のコード情報を用いることによって、サービスの安全と処理の円滑化を図ることができる。
【００４４】
（機体ＩＤの登録方法及び有効期間の更新方法）
次に、機体ＩＤの登録方法と有効期間の更新方法とを併せて説明する。
図８は、機体ＩＤの登録手順及び有効期間の更新手順を示すフローチャートである。
まず、遊技者が、ある遊技場に来店すると（Ｓ１０）、遊技者が所持する携帯端末８０が、そのバックグラウンドで動作している自動通信アプリの機能により、遊技場内に設置されているアクセスポイント７０を自動的に検知する（Ｓ１１）。
具体的には、アクセスポイント７０から発せられる特定周波数の電波を携帯端末８０が検知して、携帯端末８０（無線ＬＡＮ通信部８１）とアクセスポイント７０との自動接続が開始される。
【００４５】
携帯端末８０は、アクセスポイント７０に対し接続要求を行う（Ｓ１２）。接続要求には、ＳＳＩＤが付され、また、携帯端末８０に固有のＭＡＣアドレスを付すことができる。
アクセスポイント７０は、携帯端末８０から接続要求を受けると、ＳＳＩＤの照合を行うとともに、その遊技場におけるネットワークにおいて一意のＩＰアドレス（プライベートＩＰアドレス）を割り付け、携帯端末８０に通知する（Ｓ１３）。なお、接続が切断されるまでの間、アクセスポイント７０は、割り付けたＩＰアドレスとＭＡＣアドレスとを関連付けて保持し、また、携帯端末８０は、通知されたＩＰアドレスを自己のアドレスとして保持する。
ＳＳＩＤの照合が一致すると、相互にリンクが張られ、携帯端末８０とアクセスポイント７０（ＬＡＮ１４０）との接続が完了する（Ｓ１４）。
なお、この段階で、携帯端末８０の自動通信アプリは、アクセスポイント７０との接続が完了した旨（例えば、「ハロー」等）を表示部８４に表示することができる。
【００４６】
所定の操作（例えば、「ＹＥＳ」キーの選択等）が行われると、携帯端末８０は、機体ＩＤを生成する工程（Ｓ１５〜１６）を経て、機体ＩＤをローカルサーバ９０に送信する（Ｓ１７）。
機体ＩＤは、最初の登録時には生成するが（Ｓ１５：ＹＥＳ→Ｓ１６）、それ以降（例えば、有効期間の更新時や提携する他店舗での登録時）は、その登録時に記憶させた機体ＩＤを用いるため、生成しない（Ｓ１５：ＮＯ）。
このようにすると、来店の都度、又は、複数の店舗における登録の都度、機体ＩＤを生成する必要がなくなるため、携帯端末８０の処理にかかる負荷を軽減し、また、ローカルサーバ９０との接続を迅速に行うことができる。
なお、機体ＩＤは、前記「機体ＩＤのコード化」にて説明したように、所定のハッシュ関数によりハッシュ値に変換したコード情報を用いることで、セキュリティを強化することができる。
【００４７】
ローカルサーバ９０は、携帯端末８０から受信した機体ＩＤが未登録の場合には、その機体ＩＤと有効期間とを関連付けて登録する（Ｓ１８〜１９）とともに、携帯端末８０に遊技関連情報を配信する（Ｓ２０）。
なお、ローカルサーバ９０は、遊技関連情報の配信の際、自己のＩＰアドレス（グローバルＩＰアドレス）と店舗名等からなる遊技場情報を携帯端末８０に送信し、携帯端末８０は、これを保存する（Ｓ２１）。
他方、ローカルサーバ９０は、携帯端末８０から受信した機体ＩＤが既に登録されている場合には、その機体ＩＤに関連付けてある有効期間を更新するとともに（Ｓ２２）、携帯端末８０に遊技関連情報を配信する（Ｓ２０）。携帯端末８０は、受信した遊技関連情報を記憶部８３に保存することができる。
携帯端末８０は、遊技関連情報の閲覧を行うためのメニュー画面を表示する（Ｓ２３）。遊技者は、メニュー画面にもとづく所定操作を行うことで、所望の遊技関連情報を携帯端末８０に表示することができる。
【００４８】
図９は、携帯端末に表示されるメニュー画面及び遊技関連情報の一例を示す図である。
なお、図９（ａ）は、起動時のメニュー画面であり、図９（ｂ）は、この画面に表示される「Ｄａｔａ」を選択したときに表示されるメニュー画面の一例である。
図９（ｂ）のメニューから「機種名を選ぶ」を選択し、所望の機種名（例えば、「ImジャグラーＳＰ」）を選択すると、記憶部８３からその機種名に関する遊技関連情報が配信され、携帯端末８０の表示画面に表示される（図９（ｃ１）参照）。
同様に、図９（ｂ）のメニューから「ランキングから選ぶ」選択すると、その遊技場におけるランキング情報が携帯端末８０の表示画面に表示され（図９（ｃ２）、「台番号から選ぶ」を選択すると、特定した台番号の遊技機に関する遊技関連情報が携帯端末８０の表示画面に表示される（図９（ｃ３）参照）。
【００４９】
ところで、携帯端末８０は、登録された遊技場のローカルサーバ９０のＩＰアドレスを保有することになるため（前記Ｓ２１参照）、遊技者は、遊技場内からは勿論、遊技場外からも３Ｇ回線１２０及びインターネット１３０を介してその遊技場のローカルサーバ９０にアクセスできるようになる。
そこで、登録された遊技場のローカルサーバ９０と携帯端末８０との接続態様について図１０を参照しながら説明する。
また、このような接続態様にもとづく遊技関連情報の配信方法について図１１を参照しながら説明する。
【００５０】
（ローカルサーバと携帯端末との接続態様）
図１０は、登録された遊技場のローカルサーバ９０と遊技者が所持する携帯端末との接続態様を示す図である。
なお、店舗Ａ１のローカルサーバ９０には、携帯端末８０の機体ＩＤが登録され、携帯端末８０にはそのローカルサーバ９０のグローバルＩＰアドレス「10.1.1.1」が保有されているものとし、店舗Ｂ１のローカルサーバ９０（「10.1.1.2」）についても同様とする。また、ＬＡＮ１４０に接続されたアクセスポイント７０、ホールコンピュータ６０等には、それぞれの店舗内において一意のプライベートＩＰアドレス「192.168.1.***/24」が割り当てられているものとする。
【００５１】
図１０に示すように、携帯端末８０とローカルサーバ９０との接続態様には、主に（i）〜（iii）のケースがある。
（i）は、店舗Ａ１内にある携帯端末８０からローカルサーバ９０に接続するケースを示す。例えば、遊技者が店舗Ａ１に来店したときや店舗Ａ１内で遊技中に、遊技者が携行する携帯端末８０からアクセスする場合が該当する。
この場合、遊技者が所持する携帯端末８０がアクセスポイント７０を検知すると、アクセスポイント７０と携帯端末８０とが接続され、アクセスポイント７０は、携帯端末８０にプライベートＩＰアドレスを割り当てる。
携帯端末８０は、保有するグローバルＩＰアドレスの中から「10.1.1.1」を「宛先アドレス」として指定し、自己に割り当てられたＩＰアドレスを「送信元アドレス」として指定することによって店舗Ａ１のローカルサーバ９０と通信可能に接続される。
【００５２】
また、（ii）、（iii）は、店舗外にある携帯端末８０からローカルサーバ９０に接続するケースを示す。例えば、遊技者が自宅にいる場合等、店舗内の無線ＬＡＮ回線１１０の提供を受けることができないエリアから携帯端末８０を用いてアクセスする場合が該当する。
この場合、インターネット１３０の接続に際し、３Ｇ回線１２０を用いるため、携帯端末８０は、３Ｇ回線１２０を提供するキャリアからＩＰアドレスの割り当てを受ける。
【００５３】
（ii）は、店舗Ａ１のローカルサーバ９０にアクセスするときの接続ルートである。この場合、携帯端末８０は、保有するグローバルＩＰアドレスの中から「10.1.1.1」を「宛先アドレス」として指定し、キャリアから割り当てられたＩＰアドレスを「送信元アドレス」として指定することにより、３Ｇ回線１２０及びインターネット１３０を通じて店舗Ａ１のローカルサーバ９０と接続される。
（iii）は、店舗Ｂ１のローカルサーバ９０にアクセスする例である。この場合、携帯端末８０は、（ii）と同様のアドレス指定をすることにより３Ｇ回線１２０及びインターネット１３０を通じて店舗Ｂ１のローカルサーバ９０と接続される。
【００５４】
このように、機体ＩＤが、ある遊技場のローカルサーバ９０に登録されると、遊技者の携帯端末８０は、そのローカルサーバ９０のグローバルＩＰアドレスを保有することになるため、遊技者は、その携帯端末８０を用いて、どこからでも所望の遊技場のローカルサーバ９０にアクセスすることができるようになる。
【００５５】
（遊技関連情報の配信方法）
次に、遊技関連情報の配信方法について説明する。
図１１は、遊技関連情報の配信手順を示すフローチャートである。
なお、ここでは、携帯端末８０の自動通信アプリを手動で起動する場合と、自動的に起動される場合とに分けて説明する。
【００５６】
（自動通信アプリを手動で起動する場合）
自動通信アプリを手動で起動する場合（Ｓ３１：ＹＥＳ）、すなわち、遊技場外にいる遊技者が携帯端末８０からローカルサーバ９０にアクセスする場合（図１０（ii）（iii）参照）、制御部８５は、その起動に応じ遊技関連情報の配信が可能な遊技場の店舗名（図１２参照）を表示させる（Ｓ３２）。
具体的には、機体ＩＤの登録を行ったローカルサーバ９０が設置されてある遊技場の店舗名を表示させるとともに、表示される店舗名には登録時にローカルサーバ９０から取得したＩＰアドレス（グローバルＩＰアドレス）をリンクさせる。
【００５７】
店舗名が選択されると（Ｓ３３）、携帯端末８０では、店舗名にリンクされているＩＰアドレスが「宛先アドレス」として指定され、該当する遊技場のローカルサーバ９０にアクセスする（Ｓ３４）。
これにより、携帯端末８０とローカルサーバ９０とが通信可能に接続され、携帯端末８０からローカルサーバ９０に対し機体ＩＤが送信される。
ローカルサーバ９０は、受信した機体ＩＤから特定される有効期間を参照し、有効期間が残っている場合には、遊技関連情報を携帯端末８０に配信する。
遊技関連情報の配信を受けた携帯端末８０は、遊技関連情報の閲覧が可能である旨の表示を行う（Ｓ３５）。例えば、図９（ａ）又は（ｂ）に示すメニュー画面を表示する。これにより、遊技者は、遊技関連情報の閲覧が可能であることを認識することができる。
そして、携帯端末８０は、配信された遊技関連情報を表示する（Ｓ３６）。
【００５８】
なお、有効期間が残っていない場合は、遊技関連情報の閲覧は制限される（Ｓ３５：ＮＯ）。
この場合、ローカルサーバ９０からは、何らの情報も配信されないか、または、遊技関連情報の内容が制限される（例えば、一般情報のみ配信する）からである。
なお、この場合、ローカルサーバ９０は、有効期間が残っていない旨や、そのために遊技関連情報の配信が制限される旨のメッセージを携帯端末８０に通知することもできる。
【００５９】
（自動通信アプリが自動的に起動される場合）
自動通信アプリが自動的に起動される場合（Ｓ３１：ＮＯ）とは、遊技場内にいる遊技者が、携帯端末８０からローカルサーバ９０にアクセスする場合（図１０（i）参照）が該当する。
この場合、携帯端末８０は、遊技場内のアクセスポイント７０を検知すると（Ｓ３７）、アクセスポイント７０との間で接続処理を自動的に行う（Ｓ３８）。この工程は、「機体ＩＤの登録方法及び有効期間の更新方法」におけるＳ１０〜１４と同様である。
【００６０】
つぎに、機体ＩＤを生成する工程等に進む。具体的には、機体ＩＤを生成していない場合のみ、機体ＩＤを生成する（Ｓ３９〜４０）。
機体ＩＤは登録されているため省略可能な手順であるが、前記「機体ＩＤの登録方法及び有効期間の更新方法」（Ｓ１５〜１６）の手順に統一したものである。
なお、機体ＩＤは、登録時と同様、ハッシュ値（コード情報）を用いる。
その後、携帯端末８０は、機体ＩＤをローカルサーバ９０に送信する（Ｓ４１）。
【００６１】
ローカルサーバ９０は、携帯端末８０から機体ＩＤを受信すると、その機体ＩＤに関連付けてある有効期間を更新するとともに、携帯端末８０に遊技関連情報を配信する。
そして、携帯端末８０は、配信された遊技関連情報を表示する（Ｓ４２）。
【００６２】
以上説明したように、本発明の一実施形態に係る遊技場システムによれば、遊技者が遊技場に来店することによって、会員／非会員や場所を問わず、遊技関連情報を容易にかつ継続して閲覧することができる利便性の高いサービスを安全に提供することができる。
【００６３】
［他の実施形態］
本発明に係る遊技場システムの他の実施形態として、例えば、携帯端末８０とローカルサーバ９０とが接続されている時間を、遊技者が遊技場にいる時間（滞在時間）とみなし、この滞在時間に応じたポイントを特典として遊技者に付与するサービスの提供が可能である。
このため、本実施形態においては、携帯端末８０及びローカルサーバ９０が、以下の動作を行う。
【００６４】
まず、遊技者の来店に応じて、携帯端末８０が、遊技場内の無線ＬＡＮ回線１１０を介して機体ＩＤをローカルサーバ９０に送信する（端末識別情報送信手段）。
ローカルサーバ９０は、携帯端末８０から受信した機体ＩＤの照合を行う。
ローカルサーバ９０の制御部９５は、自らが滞在時間算出手段として動作することで、受信した機体ＩＤと登録ＩＤとの照合が一致したときを接続開始時刻として機体ＩＤに関連付けて記憶し、その後、切断等により接続が解除されるまでの時間を滞在時間として算出する。
【００６５】
制御部９５は、記憶部９３をポイント数記憶手段として動作させることで、滞在時間に応じたポイント数を累積的に記憶する。
そして、制御部９５は、自らが特典付与手段として動作することで、蓄積されたポイント数に応じて特典を付与する。
例えば、遊技者の選択に応じ、ポイント数に応じた遊技関連情報（例えば、プレミア情報など）を携帯端末８０に配信できるようにする。
なお、制御部９５は、付与した特典に対応したポイント数をそれまで蓄積したポイント数から減算するようにすることで、自らがポイント数記憶手段として動作する。
このようにすると、遊技者にとってより有益なサービスを提供することができる。
【００６６】
また、例えば、台間機２０にて一定の投入金額を超える遊技媒体の貸し出しを行った際、台間機２０の表示部に、投入金額に応じたポイント数が埋め込まれたプレミアムコード等を表示させ、携帯端末８０で撮像したプレミアムコードからポイント数を読み出して取得できるようにすることができる。
携帯端末８０は、取得したポイント数をローカルサーバ９０に送信することができ、ローカルサーバ９０では、携帯端末８０から受信したポイント数を、前述のサービスにおいて管理されるポイント数に加算するようにする。
このようにすると、遊技者にとって有益でありながらも、遊技者をより長く遊技場に滞在させ、また、遊技を行わせるようにすることができる。
このため、本実施形態の遊技場システムによれば、遊技者側及び遊技場側の双方にとってより有益なサービスを提供することができる。
【００６７】
以上、本発明の遊技場システムの好ましい実施形態について説明したが、本発明は上述した実施形態にのみ限定されるものではなく、本発明の範囲で種々の変更実施が可能であることはいうまでもない。
例えば、上述の実施形態においては、遊技場に来店した場合にのみ登録を行うこととして説明したが、これを、遊技場外からのアクセスを通じて行うようにしてもよく、また、店舗が開設するホームページ等を介して行うようにしてもよい。
このように、登録条件を緩和しても、有効期間を更新するには登録した遊技場に赴く必要があるため、遊技者に遊技を行う一定の動機づけを与えることが可能である。
【符号の説明】
【００６９】
１０  遊技機
６０  ホールコンピュータ
８０  携帯端末
９０  ローカルサーバ
７０  アクセスポイント
８１  無線ＬＡＮ通信部
８２  ３Ｇ通信部
１１０  無線ＬＡＮ回線
１２０  ３Ｇ回線
１３０  インターネット
【図１】
0005961808.tif 000002
【図２】
0005961808.tif 000003
【図３】
0005961808.tif 000004
【図４】
0005961808.tif 000005
【図５】
0005961808.tif 000006
【図６】
0005961808.tif 000007
【図７】
0005961808.tif 000008
【図８】
0005961808.tif 000009
【図１０】
0005961808.tif 000010
【図１１】
0005961808.tif 000011
【図１２】
0005961808.tif 000012
【図９】
0005961808.tif 000013